(57)【特許請求の範囲】
【請求項１】
複数の鍵のそれぞれが鍵回動支点に回動自在に接続されてなる鍵盤装置であって、前記複数の鍵のそれぞれは、
前記鍵の全体長の一部を構成する木製の鍵本体と、
前記鍵本体の上面を覆うように接着されて演奏面を提供するとともに、後端部に設けられる第１の締結部と、前記演奏面と前記第１の締結部の間に前記鍵本体が存在しない第１の歪み吸収区間とを有する鍵上面部と、
前記鍵本体の下面に接着されるとともに、後端部に設けられ、前記第１の締結部と締結される第２の締結部と、前記第１の歪み吸収区間に対応する区間に第２の歪み吸収区間とを有する鍵下面部と、
前記鍵の全体長の他の一部を構成し、先端部に設けられ、前記第１及び第２の締結部に締結される第３の締結部と、前記鍵回動支点に回動自在に接続される後端部とを有し、前記鍵本体を延長する延長用継ぎ手部と
を有する電子楽器用鍵盤装置。
【請求項２】
前記鍵は、白鍵及び黒鍵を含み、
前記白鍵の全体長は、少なくとも２３０ｍｍ以上であり、
前記黒鍵の全体長は、少なくとも１８０ｍｍ以上である請求項１記載の電子楽器用鍵盤装置。
【請求項３】
前記第１〜第３の締結部は共締めで同時に締結されてなり、前記延長用継ぎ手部を基準として、前記鍵上面部と鍵下面部とを前後にずらして締結可能にし得るようにした請求項１又は２記載の電子楽器用鍵盤装置。
【請求項４】
前記複数の鍵のそれぞれは、さらに、前記第１〜第３の締結部より先端側に第１の位置決め部を有し、
前記第１〜第３の締結部より後端側に第２の位置決め部を有する請求項１〜３のいずれか１項に記載の電子楽器用鍵盤装置。
【請求項５】
前記延長用継ぎ手部は、前記鍵上面部のもっとも幅の細い部分よりも細く形成される請求項１〜４のいずれか１項に記載の電子楽器用鍵盤装置。
【請求項６】
前記鍵上面部は、前記前記演奏面に対して前記第１の締結部が下方に形成され、
前記延長用継ぎ手部は、３ｍｍ以下の薄さの金属材で形成される請求項１〜５のいずれか１項に記載の電子楽器用鍵盤装置。
【発明の詳細な説明】
【技術分野】
【０００１】
本発明は、電子楽器用鍵盤装置に関し、より詳しくは、木製鍵を有する電子楽器用鍵盤装置に関する。
【背景技術】
【０００２】
従来、鍵盤楽器において、隣接する鍵が押下されると、鍵の側面が見えるが、その際、見た目の高級感を出すために、鍵本体を木材で形成することが行われている（例えば、特許文献１又は２参照）。このような場合、木材で形成される鍵本体の上面を覆うように、樹脂で形成される鍵上面部を接着して個々の鍵を形成している。
【０００３】
【特許文献１】特開２００３−２７１１２８号公報
【特許文献２】特開２００５−１０７４９３号公報
【発明の開示】
【発明が解決しようとする課題】
【０００４】
鍵本体を木材で形成しようとすると、電子楽器の置かれる環境の湿度等により、木材が膨張または緊縮して鍵が変形（ねじれや、反り等）することがある。これは、木材の性質によるものであるため、防止することが非常に難しい。
【０００５】
木材の変形が起こると、鍵先端部が他の鍵と揃わなくなり、見た目が非常に悪くなってしまう。また、同一角度のねじれや反りが生じた場合、鍵支点から鍵先端部までの長さが長くなればなるほど、鍵先端部において他の鍵との先端位置や角度の不一致が激しくなる。
【０００６】
本発明の目的は、鍵の変形を抑制して鍵の形状精度を保つことができる電子楽器用鍵盤装置を提供することである。
【課題を解決するための手段】
【０００７】
本発明の一観点によれば、電子楽器用鍵盤装置は、複数の鍵（１０）のそれぞれが鍵回動支点（１０４）に回動自在に接続されてなり、前記複数の鍵（１０）のそれぞれは、前記鍵の全体長の一部を構成する木製の鍵本体（１００）と、前記鍵本体（１００）の上面を覆うように接着されて演奏面（ＰＰ）を提供するとともに、後端部（１０１ｕｂ）に設けられる第１の締結部（１０３ｕ）と、前記演奏面（ＰＰ）と前記第１の締結部（１０３ｕ）の間に前記鍵本体（１００）が存在しない第１の歪み吸収区間（１０５ｕ）とを有する鍵上面部（１０１ｕ）と、前記鍵本体（１００）の下面に接着されるとともに、後端部（１０１ｄｂ）に設けられ、前記第１の締結部（１０３ｕ）と締結される第２の締結部（１０３ｄ）と、前記第１の歪み吸収区間（１０５ｕ）に対応する区間に第２の歪み吸収区間（１０５ｄ）とを有する鍵下面部（１０１ｄ）と、前記鍵１０の全体長の他の一部を構成し、先端部（１０２ｆ）に設けられ、前記第１及び第２の締結部（１０３ｕ、１０３ｄ）に締結される第３の締結部（１０３ｆ）と、前記鍵回動支点（１０４）に回動自在に接続される後端部（１０２ｂ）とを有し、前記鍵本体１００を延長する延長用継ぎ手部（１０２）とを有する。
【発明の効果】
【０００８】
本発明によれば、鍵の変形を抑制して鍵の形状精度を保つことができる電子楽器用鍵盤装置を提供することができる。
【発明を実施するための最良の形態】
【０００９】
図１は、本発明の第１の実施例による電子楽器用鍵盤装置１の断面図である。
【００１０】
電子楽器用鍵盤装置１は、複数（例えば、６１鍵、７６鍵又は８８鍵等）の鍵１０（複数の白鍵１０ｗ及び複数の黒鍵１０ｂを含む）、フレーム１１、及び各白鍵１０及び各黒鍵２０毎に設けられるスイッチ（押鍵検出手段）１２、質量体駆動部１２１、質量体回転軸１２２及び質量体１２３を含む鍵駆動部を含んで構成される。
【００１１】
本実施例による電子楽器用鍵盤装置１は、いわゆる長尺鍵盤であり、一般的にグランドピアノ等で用いられる鍵盤の寸法を模している。例えば、鍵スパン（鍵先端部〜鍵支点の距離）は、白鍵１０ｗの場合は２３０〜５００ｍｍ（好ましくは３００ｍｍ）程度であり、黒鍵１０ｂの場合は１８０〜４５０ｍｍ（好ましくは２５０ｍｍ）程度である。その際のストローク範囲は、白鍵１０ｗ及び黒鍵１０ｂともに、鍵先端で計測して８〜１２ｍｍ（好ましくは１０ｍｍ）程度であり、角度基準に調合すると、白鍵の場合は、ｔａｎ−１（８／５００）〜ｔａｎ−１（１２／２３０）、好ましくはｔａｎ−１（１０／３００）程度であり、黒鍵１０ｂの場合は、ｔａｎ−１（８／４５０）〜ｔａｎ−１（１２／１８０）、好ましくはｔａｎ−１（１０／２５０）程度である。このような長尺鍵盤を用いることにより、グランドピアノと同様のタッチ感を得ることができる。
【００１２】
各鍵１０は、木材からなる鍵本体（木部）１００と、金属または樹脂からなる延長用継ぎ手部材１０２、プラスティック等の樹脂からなる鍵上面部１０１ｕ及び鍵下面部１０１ｄで構成される。鍵本体１００は、白鍵１０ｗの場合、例えば、長さ１５０〜２００ｍｍ程度、幅２０〜２５ｍｍ（好ましくは２３ｍｍ）程度、高さ２３〜２８ｍｍ（好ましくは２７ｍｍ）程度の木材で形成される。黒鍵１０ｂの場合、例えば、長さ９５〜１４５ｍｍ程度、幅９〜１４ｍｍ（好ましくは１３ｍｍ）程度、高さ３５〜４０ｍｍ（好ましくは３９ｍｍ）程度の木材で形成される。なお、以下、本明細書では、白鍵を中心として説明するが、以下の実施例は、黒鍵にも当然適用可能である。
【００１３】
鍵本体１００の演奏面ＰＰ及び先端部１１０（鍵１０の長さ方向の演奏者側）表面に、鍵上面部１０１ｕが接着される。なお、鍵本体１００の先端部分の垂直表面部１１１の全部又は一部も鍵上面部１０１ｕで覆うようにしてもよい。また、本実施例では、鍵先端部とは、鍵上面部１０１ｕの垂直表面部１１１から突出した先端部１１０を指すが、先端部１１０と垂直表面部１１１をあわせて鍵先端部としてもよい。また、本明細書で、「演奏面」とは、演奏者が鍵１０を押下するために提供される操作面であり、鍵１０がその先端部１１０からコンソールパネルＣＰ（例えば、図１、図４参照）に隠れる手前までの長さ１５０ｍｍ程度（白鍵１０ｗの場合）の平面であり、黒鍵１０ｂの場合は、９５ｍｍ程度の部分であり、平面及び白鍵１０ｗの平面から突出した側面を含む部分である。なお、単に「演奏面」とした場合は、白鍵１０ｗの演奏面ＰＰを指す。
【００１４】
鍵上面部１０１ｕは、上記の演奏面ＰＰを提供する部分（中間部）と、後端部１０１ｕｂに設けられる鍵下面部１０１ｄとの締結部（第１の締結部）１０３ｕを含み、その全長は、演奏面ＰＰと締結部１０３ｕに、歪み吸収部１０５（歪み吸収区間１０５ｕ）の長さを加えたものである。歪み吸収部１０５は、鍵上面部１０１ｕの下方に鍵本体１００が存在しない部分であり、後述するように、鍵本体１００の後端部近傍における上下方向の膨張（又は収縮）による歪みを吸収するための空間である。すなわち、鍵上面部１０１ｕの演奏面ＰＰに該当する部分（中間部）と歪み吸収部１０５に該当する部分（歪み吸収区間１０５ｕ）とをあわせた長さは、鍵本体１００の全長よりも、例えば、１０ｍｍ〜２０ｍｍ程度長く設定されている。なお、本実施例では、鍵上面部１０１ｕは、鍵本体１００の先端部の垂直表面１１１も覆う。鍵先端部１１０は、図に示すように、垂直表面１１１から先端方向に突出した鍵上面に続く部分である。なお、先端部１１０は、突出せずに鍵上面部と鍵先端の垂直表面１１１との角部であってもよい。
【００１５】
鍵下面部１０１ｄは、鍵本体１００の下面の少なくとも一部又は全部を覆う部分と、後端部１０１ｄｂに設けられる鍵上面部１０１ｄ及び延長用継ぎ手部材１０２との締結部（第２の締結部）１０３ｄを含む。締結部１０３ｄと、歪み吸収部１０５に相当する部分（歪み吸収区間１０５ｄ）の長さは、鍵上面部１０１ｕのものと同じである。また、鍵下面部１０１ｄの下面には、質量体駆動部１２１が設置されている。
【００１６】
鍵上面部１０１ｕが鍵本体１００の上面に接着され、鍵下面部１０１ｄが鍵本体１００の下面に接着されることにより、鍵上面部１０１ｕ及び鍵下面部１０１ｄで鍵本体１００を挟み込むように構成される。この時、鍵上面部１０１ｕ（歪み吸収区間１０５ｕ）及び鍵下面部１０１ｄ（歪み吸収区間１０５ｄ）の間に、鍵本体１００が存在しない歪み吸収部１０５が形成される。鍵上面部１０１ｕ及び鍵下面部１０１ｄは、この歪み吸収部１０５の後段の鍵本体１００の存在しない締結部１０３で、締結部材（ネジ）１０３ａにより締結される。
【００１７】
図２は、本発明の第１の実施例による歪み吸収部１０５を説明するための白鍵１０ｗの側面図である。
【００１８】
樹脂製の鍵上面部１０１ｕ及び鍵下面部１０１ｄにより木製の鍵本体１００を挟み、鍵上面部１０１ｕと鍵下面部１０１ｄの締結部１０３ｕ及び１０３ｄ近傍に鍵本体１００が存在しない歪み吸収部１０５（歪み吸収区間１０５ｕ及び１０５ｄ）を設けることにより、鍵本体１００の後端部近傍が上下方向に膨張（又は収縮）しても、締結部１０３と鍵本体１００との距離があるため、その間に設けられた空間である歪み吸収部１０５で歪が吸収され、延長用継ぎ手部材１０２との締結部分近傍（締結部１０３）での基準角度を保つことができる。
【００１９】
鍵本体１００の後端部が変形（例えば、上下方向に膨張）して当該変形部分に接着される上面部１０１ｕと鍵下面部１０１ｄとが変形したとしても、上面部１０１ｕと鍵下面部１０１ｄの歪み吸収区間１０５ｕ及び１０５ｄは鍵本体１００と接着されていないので、締結部１０３にいたるまでの距離により元の形（演奏面ＰＰに対して平行な面）に復帰することができる。よって、歪み吸収部１０５を設けることにより、たとえ鍵本体１００の後端部が変形したとしても、締結部１０３に対する影響を抑えることができる。
【００２０】
なお、本実施例のような継ぎ手構造を採用した鍵１０の場合、締結部分近傍（締結部１０３）における角度の精度が、延長用継ぎ手部材１０２の長さによって増幅されるので、締結部分近傍（締結部１０３）での基準角度を保つことが、鍵１０の形状精度を保つ上で非常に重要である。
【００２１】
図１に戻り、鍵下面部１０１ｄは、その後端部１０１ｄｂ（支点側）の締結部１０３ｄにおいて金属又は樹脂からなる延長用継ぎ手部材１０２の先端部１０２ｆ上面の締結部（第３の締結部）１０３ｆと締結部材（ネジ）１０３ｂにより締結される。また、延長用継ぎ手部材１０２の後端部１０２ｂは、鍵回動支点１０４と上下（押鍵離鍵）方向に回動自在に接続されている。延長用継ぎ手部材１０２は、先端部１０２ｆと後端部１０２ｂの間に中間部１０２ｍを有し、中間部１０２ｍの長さにより、鍵１０の全体長を延長する。鍵回動支点１０４は、フレーム１１上に設けられている。
【００２２】
鍵１０の鍵上面部１０１ｕ及び延長用継ぎ手部材１０２をあわせた鍵先端部１１０から鍵回動支点１０４までの全体長（鍵スパン）は、例えば、３００ｍｍ程度であるので、鍵本体１００の長さを１８０ｍｍ程度とすることで、歪みや反りの発生する可能性がある木製部分を少なくとも全体長の３分の２以下に抑えることができる。このように木製部分を鍵全体長の一部分とすることにより、鍵本体１００が変形した場合にも、全体長の全てを木製とした場合に比べて、鍵１０の変形を抑制することができる。
【００２３】
フレーム１１には、スイッチ１２が設けられ、鍵１０が押下されると、スイッチ１２がＯＮとなり、キーオン信号を発生させる。なお、スイッチ１２に２メイク式のスイッチをもちいることにより、押鍵・離鍵の検出のみならずベロシティ等を検出し出力するようにすることもできる。
【００２４】
本実施例では、鍵駆動部として、質量体駆動部１２１、質量体回動軸１２２及び質量体１２３を用いている。質量体駆動部１２１は、鍵下面部１０１ｄから下方に突出するように一体に形成されており、鍵１０が押鍵されると下方向に移動する。質量体駆動部１２１の下方向への移動に伴い、質量体駆動部１２１と質量体１２３の接合部１２４において、質量体駆動部１２１の下端部が前後方向に摺動することにより、質量体回動軸１２２を回動支点として、質量体１２３が上方に移動する。その後、離鍵されると、質量体１２３の重みにより、質量体１２３は、下方に移動し、それに伴い質量体駆動部１２１が上方に移動することにより、鍵１０の演奏面ＰＰが押鍵前の基準線に復帰する。
【００２５】
以上のように、本発明の第１の実施例によれば、鍵上面部１０１ｕ及び鍵下面部１０１ｄの間に、鍵本体１００が存在しない歪み吸収部１０５を設けることにより、すなわち、鍵上面部１０１ｕ及び鍵下面部１０１ｄにそれぞれ歪み吸収区間１０５ｕ及び１０５ｄを設けることにより、鍵本体１００が後端部近傍において上下方向に膨張（又は収縮）しても、歪み吸収部１０５で歪みが吸収され、延長用継ぎ手部材１０２との締結部分近傍（締結部１０３）での基準角度を保つことができる。
【００２６】
また、木製部分を鍵全体長の一部分とすることにより、鍵本体１００が変形した場合にも、全体長の全てを木製とした場合に比べて、鍵１０の変形を抑制することができる。
【００２７】
図３は、本発明の第２の実施例による白鍵２０ｗの断面図である。上述の第１の実施例と同様の部材には、同じ参照番号を付すことによりその説明を省略する。以下、第１の実施例との違いを中心に説明する。
【００２８】
第１の実施例との違いは、延長用継ぎ手部材２０２を鍵上面部２０１ｕ及び鍵下面部２０１ｄの中間位置に挟んで配置し、個々の締結部材（ネジ）２０３により、延長用継ぎ手部材２０２、鍵上面部２０１ｕ及び鍵下面部２０１の３つの部材を締結部１０３にて同時に締結（共締め）する点である。鍵上面部２０１ｕ（第１の締結部２０３ｕ）、鍵下面部２０１ｄ（第２の締結部２０３ｄ）及び延長用継ぎ手部材２０２（第３の締結部２０３ｆ）の３つの部材を共締めするので、予め鍵２０ｗの角度を調整してから、鍵上面部２０１ｕ及び鍵下面部２０１ｄを前後にずらした状態で固定することができる。これにより、すでに生じている木材（鍵本体）１００の歪みを正として取り込んで、締結部１０３で歪みを相殺する角度に延長用継ぎ手部材２０２を固定することができる。
【００２９】
例えば、図４（Ａ）に示すように、鍵本体１００の先端部が下方向に向くように歪んでいる場合は、延長用継ぎ手部材２０２を基準として、鍵上面部２０１ｕ（第１の締結部２０３ｕ）を鍵２０ｗの後端部（鍵回動支点１０４）よりにずらし、鍵下面部２０１ｄ（第２の締結部２０３ｄ）を鍵２０ｗの先端部１１０（演奏者側）よりにずらすことにより、上方向に角度矯正を行う。
【００３０】
また、例えば、図４（Ｂ）に示すように、鍵本体１００の先端部が上方向に向くように歪んでいる場合は、延長用継ぎ手部材２０２を基準として、鍵上面部２０１ｕ（第１の締結部２０３ｕ）を鍵２０ｗの先端部１１０（演奏者側）よりにずらし、鍵下面部２０１ｄ（第２の締結部２０３ｄ）を鍵２０ｗの後端部（鍵回動支点１０４）よりにずらすことにより、下方向に角度矯正を行う。
【００３１】
以上のように、本発明の第２の実施例によれば、延長用継ぎ手部材２０２を鍵上面部２０１ｕ及び鍵下面部２０１ｄの中間位置に挟んで配置し、個々の締結部材（ネジ）２０３により、延長用継ぎ手部材２０２、鍵上面部２０１ｕ及び鍵下面部２０１の３つの部材を同時に締結（共締め）することにより、鍵２０ｗの垂直成分角度の位置決め精度を向上させることができる。
【００３２】
なお、上述の第２の実施例では、延長用継ぎ手部材２０２を鍵上面部２０１ｕ及び鍵下面部２０１ｄの中間位置に挟んで配置する例を説明したが、延長用継ぎ手部材２０２を鍵上面部２０１ｕの上面又は鍵下面部２０１ｄの下面に配置して、３つの部材を同時に締結（共締め）するようにしてもよい。
【００３３】
図５は、本発明の第３の実施例による鍵盤装置３の断面図である。図６は、本発明の第３の実施例による鍵上面部３０１ｕと延長用継ぎ手部材３０１の概略平面図である。上述の第１及び第２の実施例と同様の部材には、同じ参照番号を付すことによりその説明を省略する。以下、第１及び第２の実施例との違いを中心に説明する。
【００３４】
第１及び第２の実施例との違いは、鍵上面部３０１ｕと延長用継ぎ手部材３０１に位置決め機構３０６（突起３０６ｐ１、３０６ｐ２及び位置決め孔３０６ｈ１、３０６ｈ２）を設けて、延長用継ぎ手部材３０２と鍵上面部３０１ｕを直接接続することにより鍵先端位置の位置決めを行うようにしたことである。その他の部材は、第１〜第２の実施例のいずれかと共通の部材を用いることができ、それらの実施例と同様の効果を得ることができる。
【００３５】
鍵上面部３０１ｕの締結部３０３ｕより先端部１１０よりに上方に突き出るように突起３０６ｐ１を形成するとともに、鍵上面部３０１ｕの後端部を第１の実施例及び第２の実施例に比して、鍵回動支点１０４方向に延伸し、該延伸部３０１ｐに突起３０６ｐ２を形成する。あわせて、延長用継ぎ手部材３０１の締結部３０３ｆより先端部３０２ｆ側に突起３０６ｐ１に対応するように位置決め孔３０６ｈ１を形成し、締結部３０３ｆより鍵回動支点１０４（後端部３０２ｂ）よりに突起３０６ｐ２に対応するように位置決め孔３０６ｈ２を形成する。突起３０６ｐ１を位置決め孔３０６ｈ１に、突起３０６ｐ２を位置決め孔３０６ｈ２にそれぞれ挿入することにより、鍵３０ｗの先端（先端部１１０）の位置決めを行う。
【００３６】
第１の位置決め部（突起３０６ｐ１及び位置決め孔３０６ｈ１）を締結部１０３より鍵１０の先端部１１０側に形成し、第２の位置決め部（突起３０６ｐ２及び位置決め孔３０６ｈ２）を鍵上面部３０１ｕのもっとも鍵回動支点１０４よりに形成することにより、第１の位置決め部と第２の位置決め部との距離（突起３０６ｐ１と突起３０６ｐ２との距離）であるレバー長を稼ぐことができる。なお、本実施例におけるレバー長は、白鍵及び黒鍵共通で、２０ｍｍ以上１００ｍｍ以内であり、好ましくは６０ｍｍ程度である。
【００３７】
突起３０６ｐ１及び位置決め孔３０６ｈ１は、完全に同じサイズでは形成されないとか、同一位置に孔が開かないとかの理由で、突起３０６ｐ１と位置決め孔３０６ｈ１とに製造時及び又は組み立て時の誤差が生じる。同様の理由で、突起３０６ｐ２及び位置決め孔３０６ｈ２とにも誤差が生じる。この誤差により、図７（Ａ）に示すように、鍵上面部３０１ｕには、水平成分角度のズレ（誤差角）が生じてしまう。この時、図７（Ｂ）に示すように、同一の隙間が生じていると仮定した場合、レバー長が長いと、レバー長が短い場合に比べて、誤差角を小さく抑えることができる。
【００３８】
以上のように、本発明の第３の実施例によれば、突起３０６ｐ１及び位置決め孔３０６ｈ１からなる第１の位置決め部を締結部１０３より先端部１１０側に形成し、突起３０６ｐ２及び位置決め孔３０６ｈ２からなる第２の位置決め部を鍵上面部３０１ｕのもっとも鍵回動支点１０４よりに形成することにより、レバー長を最大限に長くすることができ、鍵２０ｗの水平成分角度の位置決め精度を向上させることができる。
【００３９】
図８は、本発明の第４の実施例による鍵上面部４０１ｕと延長用継ぎ手部材４０２の配列を示す概略平面図である。図９は、本発明の第４の実施例による鍵盤装置４の断面図である。上述の第１〜第３の実施例と同様の部材には、同じ参照番号を付すことによりその説明を省略する。以下、第１〜第３の実施例との違いを中心に説明する。
【００４０】
第４の実施例では、延長用継ぎ手部材４０２の幅ｗを鍵上面部４０１ｕの幅よりも細くして、各鍵４０の延長用継ぎ手部材４０２間に幅ｓの隙間を設けている。例えば、白鍵４０ｗの場合は、黒鍵４０ｂが存在しない先端部に幅広部ＷＰを有し、黒鍵４０ｂが存在する部分には幅狭部ＮＰを有しているが、延長用継ぎ手部材４０２の幅ｗは、鍵上面部４０１ｕの最も幅が狭い部分ＮＰよりも狭い幅で形成される。なお、ここで「幅」とは、鍵盤装置４のスケール方向の寸法である。
【００４１】
延長用継ぎ手部材４０２の幅ｗを狭くすることで、例えば、図９に示すように、コンソールパネルＣＰやスイッチ基板１９を支えるためのステー１７を、隣接する延長用継ぎ手部材４０２の隙間を貫いてフレーム１１にネジ１８等により固定することができる。また、その他の機能部品を上記の隙間に配置することができる。
【００４２】
また、本実施例では、第１の実施例〜第３の実施例で用いた質量体１２３を用いた鍵駆動部の代わりに、上限ストッパ５３及び図示しない鍵復帰バネを用いている。上限ストッパ５３は、鍵下面部５０１ｄから下方に突出して一体に形成され、上限ストッパとしての機能を果たす。
【００４３】
なお、第１〜第３の実施例において、第４の実施例と同様の鍵駆動部を用いることもできる。また、逆に、第４の実施例において、第１〜第３の実施例と同様の鍵駆動部を用いることもできる。
【００４４】
その他の部材は、第１〜第３の実施例のいずれかと共通の部材を用いることができ、それらの実施例と同様の効果を得ることができる。
【００４５】
以上のように、第４の実施例によれば、延長用継ぎ手部材４０２の幅ｗを狭くすることで、鍵と鍵の隙間に機能部品を介在させることができる。
【００４６】
図１０は、本発明の第５の実施例による白鍵５０ｗの側面図である。上述の第１〜第４の実施例と同様の部材には、同じ参照番号を付すことによりその説明を省略する。以下、第１〜第４の実施例との違いを中心に説明する。
【００４７】
この第５の実施例では、延長用継ぎ手部材５０２を金属材により形成することで、その厚さｔを非常に薄くしている。延長用継ぎ手部材５０２の厚さｔは、例えば、白鍵及び黒鍵共通で、１ｍｍ以上３ｍｍ以下であり、好ましくは、２ｍｍ程度である。その他の部材は、第１〜第４の実施例のいずれかと共通の部材を用いることができ、それらの実施例と同様の効果を得ることができる。
【００４８】
また、締結部１０３は、第２の実施例と同様に、鍵上面部５０１ｕの締結部（第１の締結部）５０３ｕ、鍵下面部５０１ｄの締結部（第２の締結部）５０３ｄ及び延長用継ぎ手部材５０２の締結部（第３の締結部）５０３ｆを同時に個々の締結部材（ネジ）５０３で締結している。なお、この実施例では、丈夫な板金製の延長用継ぎ手部材５０２に雌ネジ山を形成しており、延長用継ぎ手部材５０２は、鍵下面部５０１ｄの下面に配置されて締結されている。
【００４９】
さらに、本実施例では、鍵上面部５０１ｕは、歪み吸収部１０５に対応する区間（第１の歪み吸収区間）１０５ｕより後端（鍵回動支点１０４）側の区間で演奏面ＰＰに対して下方に傾斜して、その後、締結部１０３に対応する区間（締結部５０３ｕ）おいて水平になるように形成されている。すなわち、鍵上面部５０１ｕの締結部５０３ｕは、演奏面ＰＰに対して下方に形成されている。この時、上記の傾斜区間に剛性を確保するために鍵５０ｗの長さ方向の側面に平行な面を含むリブ５０７を形成するようにしてもよい。
【００５０】
なお、締結部１０３におけるネジ５０３を除く厚みは、例えば、鍵上面部５０１ｕ（例えば、１．５ｍｍ〜３ｍｍ）、鍵下面部５０１ｄ（例えば、１．５ｍｍ〜３ｍｍ）及び延長用継ぎ手部材５０２（例えば、１ｍｍ〜３ｍｍ）を重ねて、４ｍｍ以上９ｍｍ以内に設定される。好ましくは、６ｍｍ程度に設定される。
【００５１】
このように、応力のかかる部位である延長用継ぎ手部材５０２を丈夫な金属材で形成することにより、延長用継ぎ手部材５０２の厚さｔを非常に薄くすることができる。鍵上面部５０１ｕが、演奏面ＰＰと平行な白鍵上面基準線（図中点線ＳＬで示す）に対して、下方（フレーム１１側）に傾斜しているとともに、鍵上面部５０１ｕの締結部５０３ｕが演奏面ＰＰに対して下方に形成されており、さらに延長用継ぎ手部材５０２を薄くしたことで、延長用継ぎ手部材５０２の上面と白鍵上面基準線ＳＬとの間に空間（部品収容部）５０５を設けることができる。電子楽器用鍵盤装置５を電子楽器等に適用する場合には、延長用継ぎ手部材５０２の上方には、コンソールパネルＣＰが位置することとなり、そのための部品（スイッチ基板等）を収容することができる。よって、電子楽器等におけるスペースファクタの向上を図ることができる。
【００５２】
なお、本発明の各実施例における鍵駆動部の構成としては、上述の各実施例において説明したもののほか、例えば、特開２００３−２７１１２８号公報の図１及びその説明に示されるような鍵駆動部を用いてもよい。
【００５３】
以上実施例に沿って本発明を説明したが、本発明はこれらに制限されるものではない。例えば、種々の変更、改良、組み合わせ等が可能なことは当業者に自明であろう。
【図面の簡単な説明】
【００５４】
【図１】本発明の第１の実施例による電子楽器用鍵盤装置１の断面図である。
【図２】本発明の第１の実施例による歪み吸収部１０５を説明するための白鍵１０ｗの側面図である。
【図３】本発明の第２の実施例による白鍵２０ｗの断面図である。
【図４】本発明の第２の実施例による垂直角度矯正を説明するための図である。
【図５】本発明の第３の実施例による鍵盤装置３の断面図である。
【図６】本発明の第３の実施例による鍵上面部３０１ｕと延長用継ぎ手部材３０１の概略平面図である。
【図７】本発明の第３の実施例による誤差角を説明するための図である。
【図８】本発明の第４の実施例による鍵上面部４０１ｕと延長用継ぎ手部材４０２の配列を示す概略平面図である。
【図９】本発明の第４の実施例による鍵盤装置４の断面図である。
【図１０】本発明の第５の実施例による白鍵５０ｗの側面図である。
【符号の説明】
【００５５】
１、３、４…電子楽器用鍵盤装置、１０、２０、３０、４０、５０…鍵、１１…フレーム、１２…スイッチ（押鍵検出手段）、１７…ステー、１８…ネジ、１９…スイッチ基板、５３…上限ストッパ、１００…鍵本体（木部）、１０１ｕ、２０１ｕ、３０１ｕ、４０１ｕ、５０１ｕ…鍵上面部、１０１ｕｂ…鍵上面後端部、１０１ｄ、２０１ｄ、４０１ｄ、５０１ｄ…鍵下面部、１０１ｄｂ…鍵下面後端部、１０２、２０２、３０２、４０２、５０２…延長用継ぎ手部材、１０２ｆ、３０２ｆ…延長用継ぎ手部材先端部、１０２ｍ、３０２ｍ…延長用継ぎ手部材中間部、１０２ｂ、３０２ｂ…延長用継ぎ手部材後端部、１０３…締結部、１０３ｕ、２０３ｕ、３０３ｕ、５０３ｕ…第１の締結部、１０３ｄ、２０３ｄ、３０３ｄ、５０３ｄ…第２の締結部、１０３ｆ、２０３ｆ、３０３ｆ、５０３ｆ…第３の締結部、１０３ａ…締結部材（ネジ）、２０３…締結部材（ネジ）、１０４…鍵回動支点、１０５…歪み吸収部、１０５ｕ…第１の歪み吸収区間、１０５ｄ…第２の歪み吸収区間、３０６…位置決め機構、１２１…質量体駆動部、１２２…質量体回動軸、１２３…質量体、１２４…接合部、５０５…空間（部品収容部）、５０７…リブ、ＣＰ…コンソールパネル、ＰＰ…演奏面
【図１】
0004992600.tif 000002
【図２】
0004992600.tif 000003
【図３】
0004992600.tif 000004
【図４】
0004992600.tif 000005
【図５】
0004992600.tif 000006
【図６】
0004992600.tif 000007
【図７】
0004992600.tif 000008
【図８】
0004992600.tif 000009
【図９】
0004992600.tif 000010
【図１０】
0004992600.tif 000011